(57)【特許請求の範囲】
【請求項１】
シートバック内のフレームに固定されたベースに、ランバープレートを支持したトーションアームが前後回動可能に支持されて、上記ベースに操作軸が回動操作可能に支持され、この操作軸にラッチカムが軸方向に摺動可能かつ回転不自在に支持されると共にランバーカムが回動可能に支持されていて、上記ランバーカムとラッチカムの相対向する端面には、相互に噛み合うと共に操作軸によるラッチカムの双方向回りの間欠回動によって噛合位相を変えてランバーカムを一方向回りに間欠回動可能な放射状の鋸歯部がそれぞれ形成されると共に、上記ランバーカムには、一方向回りの間欠回動時にトーションアームに接する多段のカム面が形成されているシートのランバーサポート装置であって、
上記ラッチカムは、上記操作軸に固定されたラッチ部材と係合して回転不自在になっていると共に、鋸歯部とは反対の端面にコイルばねを収めるばね保持溝が設けられており、コイルばねが、ラッチカムのばね保持溝に収められた状態でラッチ部材で押し付けるように保持され、その一端がベースに固定され他端がラッチカムに固定されて、ラッチカムの回動を戻す方向に付勢すると共にラッチカムをランバーカムに噛合させる方向に付勢していることを特徴とするシートのランバーサポート装置。
【請求項２】
上記ランバーカムの外周には複数の回り止め用係合部が形成されており、
ベースに固定された弾性変形可能なストッパが、ランバーカムの回り止め用係合部と係合してランバーカムの回動を止めるようになっている請求項１記載のシートのランバーサポート装置。
【発明の詳細な説明】
【０００１】
【発明の属する技術分野】
本発明は、シートバックのランバーの前後位置を調整可能とするシートのランバーサポート装置に関する。
【０００２】
【従来の技術】
シートのランバーサポート装置は、一般にはシートバック内のフレームに固定されたベースに、ランバープレートを支持したトーションアームが前後回動可能に支持されており、このトーションアームを操作レバーを操作して回動中心で前後に揺動させることによって、ランバープレートの前後位置を調整する調整機構を備えている。こうした調整機構としては、ラチェットホイールにトーションアームの一端を当接させる複数のカム面を設け、このラチェットホイールとラチェットを用いた間欠回動機構によってラチェットホイールを間欠回動してカム面を変えて、このカム面にトーションアームの一端を当接させてトーションアームを回動中心で前後に揺動させることによって、ランバープレートの前後位置を調整する構成になっている。
【０００３】
【発明が解決しようとする課題】
しかしながら、上記した従来のランバーサポート装置では、間欠回動機構として、ラチェットホイールとラチェットを用いる構造をとっているため、ラチェットホイールの外周にラチェットとかみ合う歯が形成され、さらにその外周の適所にラチェットが配置されるため、間欠回動機構の外形が径方向に大きくなって、ランバーサポート装置全体が大型になるという問題がある。しかも、ラチェットホイールとラチェットを用いる構造では、構造が複雑で部品点数が多いため、製造原価が高くなるという問題もある。
【０００４】
本発明は、こうした従来技術の課題を解決するものであり、シートバックのランバーの前後位置を調整するための間欠回動機構を簡素な構成にでき、装置の小型化と部品点数の削減を図ることができるシートのランバーサポート装置を提供することを目的とする。
【０００５】
【課題を解決するための手段】
本発明のシートのランバーサポート装置は、シートバック内のフレームに固定されたベースに、ランバープレートを支持したトーションアームが前後回動可能に支持されて、上記ベースに操作軸が回動操作可能に支持され、この操作軸にラッチカムが軸方向に摺動可能かつ回転不自在に支持されると共にランバーカムが回動可能に支持されていて、上記ランバーカムとラッチカムの相対向する端面には、相互に噛み合うと共に操作軸によるラッチカムの双方向回りの間欠回動によって噛合位相を変えてランバーカムを一方向回りに間欠回動可能な放射状の鋸歯部がそれぞれ形成されると共に、上記ランバーカムには、一方向回りの間欠回動時にトーションアームに接する多段のカム面が形成されている。
【０００６】
上記構成によれば、ランバーカムとラッチカムの相対向する端面に形成された放射状の鋸歯部を用いて、ランバーカムを一方向回りに間欠回動する構造をとっているため、軸方向に各部材が配置され径方向の寸法が抑えられるので、装置の小型化を図ると共に、簡素な構成にして部品点数の削減を図ることが可能となる。
【０００７】
さらに、上記ラッチカムは、上記操作軸に固定されたラッチ部材と係合して回転不自在になっていると共に、鋸歯部とは反対の端面にコイルばねを収めるばね保持溝が設けられており、コイルばねが、ラッチカムのばね保持溝に収められた状態でラッチ部材で押し付けるように保持され、その一端がベースに固定され他端がラッチカムに固定されて、ラッチカムの回動を戻す方向に付勢すると共にラッチカムをランバーカムに噛合させる方向に付勢している。
【０００８】
この構成によれば、ランバーカムを一方向回りに間欠回動する構造において、ラッチカムのばね保持溝にコイルばねを収めてラッチ部材で保持する簡素な構成にして、１つのコイルばねで、ラッチカムの回動を戻す方向に付勢すると共にラッチカムをランバーカムに噛合させる方向に付勢することが可能となり、装置の小型化と部品点数の削減を図ることが可能となる。
【０００９】
また、上記ランバーカムの外周には複数の回り止め用係合部が形成されており、ベースに固定された弾性変形可能なストッパが、ランバーカムの回り止め用係合部と係合してランバーカムの回動を止めるようになっている構成にすると、ストッパによってランバーカムの回動を所定の位置で確実に止めて、ランバーカムの間欠回動を正確かつスムーズに行うことが可能となる。
【００１０】
【発明の実施の形態】
以下に、本発明の実施の形態を図面に基づいて具体的に説明する。
【００１１】
図１〜図５に、本発明のシートのランバーサポート装置１の構成例を示す。
【００１２】
このランバーサポート装置１は、図１に示すように、シートバック２１とシートクッション２２からなるシート２０において、シートバック２１内のフレーム２３に固定されたベース２に、ランバープレート１２を支持したトーションアーム３が前後回動可能に支持されている。図２及び図３に示すように、ベース２に操作軸８が回動操作可能に支持され、この操作軸８にラッチカム６が軸方向に摺動可能かつ回転不自在に支持されると共にランバーカム５が回動可能に支持されている。上記ランバーカム５とラッチカム６の相対向する端面には、相互に噛み合うと共に操作軸８によるラッチカム６の双方向回りの間欠回動によって噛合位相を変えてランバーカム５を一方向回りに間欠回動可能な放射状の鋸歯部５ｃ，６ｃ（図６及び図７参照）がそれぞれ形成されている。また、ランバーカム５には、一方向回りの間欠回動時にトーションアーム３に接する多段のカム面５ａ（図６参照）が形成されている。
【００１３】
調整機構１１は、トーションアーム３を操作レバー１３を操作して回動中心Ｓで前後に揺動させることによって、ランバープレート１２の前後位置が調整できるようになっている。より詳しくは、この調整機構１１は、操作レバー１３を操作して、複数のカム面５ａを形成したランバーカム５をラッチカム６を介して間欠回動してランバーカム５のカム面５ａを変更する間欠回動機構１０を有し、このランバーカム５のカム面５ａにトーションアーム３の一端を当接させてトーションアーム３を回動中心Ｓで前後に揺動させることによって、ランバープレート１２の前後位置が多段で調整可能になっている。
【００１４】
具体的には、間欠回動機構１０のランバーカム５は、図６に示すように、外周面に径の異なる複数のカム面５ａを有すると共に他の外周面に回転軸に平行な複数の回り止め用溝５ｂを有しており、一方の端面にラッチカム６と噛合する複数の鋸歯５ｃが放射状に設けられている。ここでは、カム面５ａ、回り止め用溝５ｂ及び鋸歯５ｃをそれぞれ６等分割して設ける例を示している。
【００１５】
ラッチカム６は、図７に示すように、一方の端面にランバーカム５と噛合する複数の鋸歯６ｃが放射状に設けられ、他方の端面に操作軸８に固定されたラッチ部材９と係合して回転不自在とする係合部６ａ，６ｂが設けられている。ここでは、鋸歯６ｃを６等分割して設ける例を示している。
【００１６】
図５に示すように、ベース２には、上下の回動支持部２ｂ，２ｃの各々にガイド１４が挿入固定されており、この部分でトーションアーム３の垂直部３ｂが支持される。このトーションアーム３には、その水平延出部３ｄの先端部３ａにランバープレート１２が取付部１２ａで結合部材１５によって支持固定され、他端の垂直部３ｃはベース２の挿入穴２ｇから挿入されて、ランバーカム５のカム面５ａに外表面が当接するようになっている。従って、トーションアーム３の垂直部３ｃをランバーカム５の径の異なるカム面５ａに当接させることによって、図３に示すように回動中心Ｓでトーションアーム３を揺動させ、ランバープレート１２の前後位置を多段で調整することができる。ここでは、ランバープレート１２が前方位置にある状態を実線で、後方位置にある状態を想像線で示している。
【００１７】
ラッチ部材９は、ラッチカム６の係合部６ａ，６ｂと係合して回転不自在とする係合突起９ａ，９ｂを有する。操作軸８は、ランバーカム５とラッチカム６が各鋸歯５ｃ，６ｃが対向する状態で挿入されてベース２の軸支部２ａに軸支されており、一端８ｂにラッチ部材９が固定され、他端８ａに操作レバー１３が取付部１３ａで固定されている。ストッパ４は、弾性材料からなり、ベース２の取付部２ｆに固定されて、ランバーカム５の回り止め用溝５ｂと係合してランバーカム５の回動を止めるようになっている。コイルばね７は、ラッチカム６のばね保持溝６ｄに収められた状態でラッチ部材９で押し付けるように保持され、その一端７ａがベース２の取付部２ｆに固定され、他端７ｂがラッチカム６の係合部６ｂに固定されており、ラッチカム６の回動を戻す方向に付勢すると共にラッチカム６をランバーカム５に噛合させる方向に付勢する。
【００１８】
図８は、上記した間欠回動機構１０において、操作レバー１３を操作して、複数のカム面５ａを形成したランバーカム５をラッチカム６を介して間欠回動してランバーカム５のカム面５ａを変更する原理を展開図で表したものである。
【００１９】
図８（ａ）は、間欠回動機構１０において、対向するランバーカム５の鋸歯５ｃとラッチカム６の鋸歯６ｃが噛合した初期状態を表す。この状態では、ラッチカム６とラッチ部材９との間に介在するコイルばね７によって、ランバーカム５の鋸歯５ｃにラッチカム６の鋸歯６ｃが噛合する方向に付勢されるため、ランバーカム５とラッチカム６が鋸歯５ｃ，６ｃによって噛合した状態が維持される。この状態では、鋸歯５ｃのＡ１〜Ａ４で示す各歯が、鋸歯６ｃのＢ１〜Ｂ４で示す各歯にそれぞれ噛合する。
【００２０】
図８（ｂ）は、ランバーカム５とラッチカム６が鋸歯５ｃ，６ｃによって噛合した状態で、操作レバー１３を操作して、ラッチカム６の回動を戻す方向に付勢するコイルばね７の弾性力に抗して、ランバーカム５を図示矢印方向に１歯分の単位回転角（ここでは、６０度）を前進回転させた状態を表す。この図では、鋸歯５ｃのＡ２〜Ａ５で示す各歯が、鋸歯６ｃのＢ２〜Ｂ５で示す各歯にそれぞれ噛合した状態を表す。尚、この状態ではストッパ４がランバーカム５の回り止め用溝５ｂと係合する。
【００２１】
図８（ｃ）は、１歯分だけ前進回転したランバーカム５の鋸歯５ｃとラッチカム６の鋸歯６ｃの噛合が解除されつつある状態を表す。この状態では、ストッパ４がランバーカム５の回り止め用溝５ｂと係合してランバーカム５の回動を止めるため、ラッチカム６の回動を戻す方向に付勢するコイルばね７によって、ラッチカム６のみが図示矢印方向に鋸歯５ｃ，６ｃの傾斜に沿って滑りながら後退回転する。
【００２２】
図８（ｄ）は、ラッチカム６の回動を戻す方向に付勢するコイルばね７によって、図８（ｃ）に示す状態から更にラッチカム６のみが図示矢印方向に後退回転し、ランバーカム５の鋸歯５ｃとラッチカム６の鋸歯６ｃの噛合がほとんど解除された状態を表す。
【００２３】
図８（ｅ）は、１歯分だけ前進回転したランバーカム５の鋸歯５ｃと、１歯分だけ後退回転したラッチカム６の鋸歯６ｃが噛合した状態を表す。この状態では、ラッチカム６とラッチ部材９との間に介在するコイルばね７によって、ランバーカム５の鋸歯５ｃにラッチカム６の鋸歯６ｃが噛合する方向に付勢されるため、鋸歯５ｃのＡ２〜Ａ５で示す各歯が、鋸歯６ｃのＢ１〜Ｂ４で示す各歯にそれぞれ噛合した状態が維持される。
【００２４】
尚、図４に示すように、ベース２のストッパ部２ｅ，２ｈには緩衝部材１６，１７がそれぞれ取り付けられており、これらにラッチカム６の係合部６ｂの外表面及びラッチ部材９のストッパ部９ｃが当たることによって、間欠回動機構１０におけるランバーカム５及びラッチカム６の間欠回動範囲が、単位回転角に相当する約６０度に規制されている。ここでは、ランバーカム５及びラッチカム６が前進回転してベース２のストッパ部２ｈとラッチカム６の係合部６ｂの外表面が当たった状態を想像線で、ラッチカム６が後退回転してベース２のストッパ部２ｅとラッチ部材９のストッパ部９ｃが当たった状態を実線で表している。
【００２５】
このように、間欠回動機構１０の操作レバー１３を操作して、図８（ａ）〜図８（ｅ）に示す動作を繰り返すことによって、ランバーカム５をラッチカム６を介して単位回転角で間欠回動してランバーカム５のカム面５ａを変更することができる。従って、ランバーカム５のカム面５ａにトーションアーム３の一端を当接させてトーションアーム３を回動中心Ｓで前後に揺動させることによって、ランバープレート１２の前後位置を多段で調整することができる。
【００２６】
以上、本発明のシートのランバーサポート装置は、上記した実施形態の具体的構成に限定されるものではなく、必要に応じ適宜構成を変形、追加又は削除した構成としてもよいことは言うまでもない。
【００２７】
例えば、上記では、ラッチ部材とラッチカムの係合部が、ラッチカムの係合穴にラッチ部材の係合突起が係合する構成とする例を示したが、本発明はこれに限定されるものではなく、ラッチカムの係合突起にラッチ部材の係合穴が係合する構成としてもよい。
【００２８】
また、上記では、ランバーカムの外周に複数の回り止め用係合溝を形成し、ベースに固定された弾性変形可能なストッパを、ランバーカムの回り止め用係合溝と係合させてランバーカムの回動を止める構成とする例を示したが、本発明はこれに限定されるものではなく、ランバーカムの外周に回り止め用係合突起を設けストッパ側に係合穴（又は係合溝）を設ける構成としてもよい。
【００２９】
更には、上記では、間欠回動する単位回転角が６０度である例を示したが、本発明はこれに限定されるものではなく、単位回転角を６０度以外の他の角度としてもよいことは言うまでもない。
【００３０】
【発明の効果】
以上説明したように、本発明のシートのランバーサポート装置によれば、ランバーカムとラッチカムの相対向する端面に形成された放射状の鋸歯部を用いて、ランバーカムを一方向回りに間欠回動する構造をとっているため、軸方向に各部材が配置され径方向の寸法が抑えられるので、装置の小型化を図ると共に、簡素な構成にして部品点数の削減を図ることができ、製造原価も低減することができる。
【００３１】
また、ランバーカムを一方向回りに間欠回動する構造において、ラッチカムのばね保持溝にコイルばねを収めてラッチ部材で押し付けるように保持する構成にすることによって、１つのコイルばねで、ラッチカムの回動を戻す方向に付勢すると共にラッチカムをランバーカムに噛合させる方向に付勢することができるため、より簡素な構成にでき一層の装置の小型化と部品点数の削減を図ることができる。
【００３２】
また、上記ランバーカムの外周には複数の回り止め用係合部が形成されており、ベースに固定された弾性変形可能なストッパが、ランバーカムの回り止め用係合部と係合してランバーカムの回動を止めるようになっている構成（請求項２）にすると、ストッパによってランバーカムの回動を所定の位置で確実に止めて、ランバーカムの間欠回動を正確かつスムーズに行うことができる。
【図面の簡単な説明】
【図１】  本発明のシートのランバーサポート装置を取り付けたシートを表す斜視図である。
【図２】  本発明のシートのランバーサポート装置における調整機構及び間欠回動機構の構成例を示す正面図及び要部断面図である。
【図３】  本発明のシートのランバーサポート装置における調整機構及び間欠回動機構の構成例を示す下視図及び要部断面図である。
【図４】  図３のＰ−Ｐ断面を表す断面図である。
【図５】  本発明のシートのランバーサポート装置における調整機構及び間欠回動機構の構成例を示す分解斜視図である。
【図６】  本発明のシートのランバーサポート装置における間欠回動機構に用いるランバーカムの構成例を示す図であって、（ａ）は正面図を、（ｂ）は側面図を、（ｃ）は裏面図を表す。
【図７】  本発明のシートのランバーサポート装置における間欠回動機構に用いるラッチカムの構成例を示す図であって、（ａ）は正面図を、（ｂ）は側面図を、（ｃ）は裏面図を表す。
【図８】  本発明のシートのランバーサポート装置における間欠回動機構に用いて、複数のカム面を形成したランバーカムをラッチカムを介して間欠回動してランバーカムのカム面を変更する原理を説明するための平面展開図であって、（ａ）〜（ｅ）は、ランバーカムの鋸歯とラッチカムの鋸歯の噛合位相が１歯分変わるまでの過程を段階的に表す。
【符号の説明】
１  ランバーサポート装置
２  ベース
３  トーションアーム
４  ストッパ
５  ランバーカム
５ａ  カム面
５ｂ  回り止め用溝（回り止め用係合部）
５ｃ，６ｃ  鋸歯
６  ラッチカム
６ａ，６ｂ  係合部
６ｄ  ばね保持溝
７  コイルばね
８  操作軸
９  ラッチ部材
１０  間欠回動機構
１１  調整機構
１２  ランバープレート
１３  操作レバー
２１  シートバック
【図１】
0004073145.tif 000002
【図２】
0004073145.tif 000003
【図３】
0004073145.tif 000004
【図４】
0004073145.tif 000005
【図５】
0004073145.tif 000006
【図６】
0004073145.tif 000007
【図７】
0004073145.tif 000008
【図８】
0004073145.tif 000009